(57)【要約】【課題】ゲートドライバに入力されるＶＧＧ電圧の鈍りによる輝度ムラを低減する。【解決手段】ゲートＯＮ電圧発生部４０は、複数のＶＧＧ電圧（ゲートＯＮ電源電圧）を生成し、生成したＶＧＧ電圧を個別の配線を介して各ゲートドライバ２１に対して供給する。このとき生成されるＶＧＧ電圧は、ゲートＯＮ電圧発生部４０からゲートドライバ２１までの配線距離に応じて、立ち下がりの勾配が異なるようにする。例えば、ＶＧＧ電圧の立ち下がりの勾配は、ゲートＯＮ電圧発生部４０からの配線距離が長くなるにしたがって、配線による配線抵抗や配線容量等の影響を考慮して、より急峻となるようにする。こうすることにより、各ゲートドライバ２１の入力端におけるＶＧＧ電圧の波形が略同一となり、波形の差異による輝度ムラを低減させることができる。【選択図】図５
2008191535.tif 000002
【特許請求の範囲】
【請求項１】
映像を表示する表示パネル上に設けられた複数のゲート線と複数のデータ線との交点にそれぞれスイッチ素子および画素が配置され、上記ゲート線および上記データ線に印加された電圧に基づき上記スイッチ素子をＯＮ／ＯＦＦさせて上記画素の点灯を制御することにより映像を表示する表示装置であって、
上記スイッチ素子を制御するための複数のＶＧＧ電圧（ゲートＯＮ電源電圧）を生成し、該ＶＧＧ電圧の少なくとも立ち下がりの勾配を制御するゲートＯＮ電圧発生部と、
上記ＶＧＧ電圧に基づき、上記スイッチ素子をＯＮ／ＯＦＦさせることにより上記画素の点灯を制御する制御信号を生成して上記ゲート線に供給するゲートドライバと、
１または複数の組の上記ゲートドライバに対して、個別に上記ＶＧＧ電圧を供給する配線と
を有し、
上記ゲートＯＮ電圧発生部は、
少なくとも立ち下がりの勾配が異なる複数のＶＧＧ電圧を、上記配線を介して上記１または複数の組のゲートドライバにそれぞれ供給する
ことを特徴とする表示装置。
【請求項２】
請求項１に記載の表示装置において、
上記ゲートＯＮ電圧発生部は、
上記配線の距離に応じて上記ＶＧＧ電圧の少なくとも立ち下がりの勾配を制御する
ことを特徴とする表示装置。
【請求項３】
請求項２に記載の表示装置において、
上記ゲートＯＮ電圧発生部は、
上記配線の距離が長くなるにしたがって上記ＶＧＧ電圧の立ち下がりの勾配が急峻となるように制御する
ことを特徴とする表示装置。
【請求項４】
請求項１に記載の表示装置において、
上記配線は、表示パネル上に設けられている
ことを特徴とする表示装置。
【発明の詳細な説明】
【技術分野】
【０００１】
この発明は、ゲート線とデータ線とがマトリクス状に配置された表示装置に関する。
【背景技術】
【０００２】
近年、ＤＶＤ（Digital Versatile Disc）やＢｌｕ−ｒａｙ（登録商標）といった映像機器の普及や、地上ディジタルテレビジョン放送などのハイビジョン放送の開始に伴い、臨場感のある映像を楽しむための大画面表示装置に対する需要が高まっている。従来は、大画面表示装置としてＣＲＴ（Cathode Ray Tube）を用いた表示装置が一般的であったが、小型化や消費電力等の観点から、最近では、ＣＲＴに比べてより小型化が可能であり、消費電力の小さいＬＣＤ（Liquid Crystal Display；液晶ディスプレイ）が急速に普及している。
【０００３】
ＬＣＤは、入力された映像信号に基づき液晶パネル駆動信号を生成し、この液晶パネル駆動信号によってトランジスタをＯＮ／ＯＦＦさせて液晶への印加電圧を変化させることにより、画素に対する光の透過状態と遮断状態とを制御する。そして、この画素を集約してカラー化した画像が表示部に表示されるようになっている。
【０００４】
ここで、従来のＬＣＤの一例の構成について、図７を参照して説明する。ＬＣＤ１００は、図７に示すように、表示パネル１１０、ゲート線駆動回路１２０、データ線駆動回路１３０およびゲートＯＮ電圧発生部１４０を備える。なお、この例では、ＬＣＤ１００における表示に関連の深い部分のみを示し、それ以外については、説明を省略する。
【０００５】
表示パネル１１０には、複数のゲート線１５０、１５０、・・・、１５０（以下、ゲート線を区別する必要がない場合には、ゲート線１５０と適宜称する）と複数のデータ線１６０、１６０、・・・、１６０（以下、データ線を区別する必要がない場合には、データ線１６０と適宜称する）が互いに直交するようにして、マトリクス状に配置されている。ゲート線１５０とデータ線１６０との交点には、ＴＦＴ（Thin Film Transistor）などのスイッチ素子１１１を介して画素１１２が配置されている。
【０００６】
ゲートＯＮ電圧発生部１４０は、図示されないタイミングコントローラから供給されるゲート駆動タイミング信号に同期して、ゲート線駆動回路１２０を制御するためのＶＧＧ電圧（ゲートＯＮ電源電圧）を生成する。ゲート線駆動回路１２０は、ゲートＯＮ／ＯＦＦ電源電圧、タイミングコントローラからのゲート駆動タイミング信号に基づき、スイッチ素子１１１をＯＮ／ＯＦＦさせるための制御電圧を生成し、ゲート線１５０に供給する。データ線駆動回路１３０は、データ線１６０に対して映像信号を供給する。表示パネル１１０は、ゲート線駆動回路１２０から供給される制御信号によってスイッチ素子１１１がＯＮ／ＯＦＦすることにより、画素１１２の点灯を制御し、データ線駆動回路１３０からデータ線１６０に供給される映像信号を表示する。
【０００７】
ゲート線駆動回路１２０は、図８に示すように、複数のゲートドライバ１２１、１２１、・・・１２１（以下、ゲートドライバを区別する必要がない場合には、ゲートドライバ１２１と適宜称する）で構成され、それぞれのゲートドライバ１２１がフレキシブル配線基板１２２、１２２、・・・、１２２（以下、フレキシブル配線基板を区別する必要がない場合には、フレキシブル配線基板１２２と適宜称する）に実装されている。
【０００８】
ゲートドライバ１２１は、例えば２００本程度の複数のゲート線１５０を駆動させることができ、ゲートＯＮ電圧発生部１４０から供給されたＶＧＧ電圧に基づき、スイッチ素子１１１をＯＮ／ＯＦＦさせて所望の画素１１２を点灯させるための制御信号をゲート線１５０に供給する。また、ゲートドライバ１２１は、ＶＧＧ電圧をそのまま次段のゲートドライバ１２１に供給する。
【０００９】
ゲートＯＮ電圧発生部１４０には、最前段のゲートドライバ１２１に対してＶＧＧ電圧を供給するための配線１２３ａが接続されている。ゲートＯＮ電圧発生部１４０は、配線１２３ａを介して、ＶＧＧ電圧を最前段のゲートドライバ１２１に供給する。最前段のゲートドライバ１２１は、表示パネル１１０およびフレキシブル配線基板１２２上に設けられた配線１２３ｂを介して、受け取ったＶＧＧ電圧を次段のゲートドライバ１２１に供給する。
【００１０】
以下、同様にして、前段のゲートドライバ１２１は、表示パネル１１０およびフレキシブル配線基板１２２上に設けられた配線１２３ｂを介して、受け取ったＶＧＧ電圧を次段のゲートドライバ１２１に供給する。このようにして、ゲートＯＮ電圧発生部１４０で生成されたＶＧＧ電圧は、前段のゲートドライバ１２１から配線を介して後段のゲートドライバ１２１に供給される。
【００１１】
このように、従来のＬＣＤの駆動回路に関する技術が下記の特許文献１に記載されている。
【００１２】
【特許文献１】特開２０００−２２１４７４号公報
【発明の開示】
【発明が解決しようとする課題】
【００１３】
上述したように、従来のＬＣＤでは、ゲートＯＮ電圧発生部で単一のＶＧＧ電圧を生成し、生成されたＶＧＧ電圧が前段のゲートドライバを介してそれぞれのゲートドライバに供給される。このような場合において、ＬＣＤのサイズが大型化した場合には、ゲートＯＮ電圧発生部から各ゲートドライバまでの配線距離が長くなり、配線抵抗や配線容量等による配線インピーダンスが増加する。したがって、それぞれのゲートドライバに入力されるＶＧＧ電圧は、配線インピーダンスにより波形が鈍るため、ゲートドライバ間で輝度ムラが生じるという問題点があった。
【００１４】
特に、ゲートＯＮ電圧発生部１４０に対して最前段のゲートドライバと最後段のゲートドライバとでは、入力されるＶＧＧ電圧が大きく異なってしまう。また、ゲートドライバ間を接続する配線としてパネル内配線を用いる場合、パネル内配線によるインピーダンスは、配線基板等に設けられる配線に比べて高いため、配線距離の増加による影響が顕著となる。
【００１５】
この問題を解決する方法としては、各ゲートドライバ間を接続する配線のインピーダンスを減らす方法が考えられる。例えば、配線パターンの膜厚・配線幅を調整することにより、配線インピーダンスを減少させることができる。
【００１６】
しかしながら、例えばパネル内配線等では、配線に使用できるスペースには制約があり、また、歩留まりの問題もあり、パネル内配線パターンを調整して配線インピーダンスを減少させる場合にも限界がある。
【００１７】
したがって、この発明の目的は、各ゲートドライバに入力されるＶＧＧ電圧を略同一にすることにより、輝度ムラを低減することができる表示装置を提供することにある。
【課題を解決するための手段】
【００１８】
上述した課題を解決するために、この発明は、映像を表示する表示パネル上に設けられた複数のゲート線と複数のデータ線との交点にそれぞれスイッチ素子および画素が配置され、ゲート線およびデータ線に印加された電圧に基づきスイッチ素子をＯＮ／ＯＦＦさせて画素の点灯を制御することにより映像を表示する表示装置であって、スイッチ素子を制御するための複数のＶＧＧ電圧（ゲートＯＮ電源電圧）を生成し、ＶＧＧ電圧の少なくとも立ち下がりの勾配を制御するゲートＯＮ電圧発生部と、ＶＧＧ電圧に基づき、スイッチ素子をＯＮ／ＯＦＦさせることにより画素の点灯を制御する制御信号を生成してゲート線に供給するゲートドライバと、１または複数の組のゲートドライバに対して、個別にＶＧＧ電圧を供給する配線とを有し、ゲートＯＮ電圧発生部は、少なくとも立ち下がりの勾配が異なる複数のＶＧＧ電圧を、配線を介して１または複数の組のゲートドライバにそれぞれ供給することを特徴とする表示装置である。
【００１９】
上述したように、この発明では、スイッチ素子を制御するための複数のＶＧＧ電圧を生成し、ＶＧＧ電圧の少なくとも立ち下がりの勾配を制御するゲートＯＮ電圧発生部と、ＶＧＧ電圧に基づき、スイッチ素子をＯＮ／ＯＦＦさせることにより画素の点灯を制御する制御信号を生成してゲート線に供給するゲートドライバと、１または複数の組のゲートドライバに対して、個別にＶＧＧ電圧を供給する配線とを有し、ゲートＯＮ電圧発生部は、少なくとも立ち下がりの勾配が異なる複数のＶＧＧ電圧を、配線を介して１または複数の組のゲートドライバにそれぞれ供給するようにしているため、配線抵抗や配線容量等の影響により各ゲートドライバの入力端におけるＶＧＧ電圧が略同一となる。
【発明の効果】
【００２０】
この発明は、ゲートＯＮ電圧発生部で、立ち下がりの勾配が異なる複数のＶＧＧ電圧を生成し、１または複数の組のゲートドライバに対して、それぞれ個別にＶＧＧ電圧を供給するようにしているため、配線抵抗や配線容量等の影響により各ゲートドライバの入力端におけるＶＧＧ電圧が略同一となるため、ゲートドライバ間で発生する輝度ムラを減少させることができるという効果がある。
【発明を実施するための最良の形態】
【００２１】
以下、この発明の実施の一形態について、図面を参照しながら説明する。この発明の実施の一形態による表示装置１は、図１に示すように、表示パネル１０、ゲート線駆動回路２０、データ線駆動回路３０およびゲートＯＮ電圧発生部４０を備える。なお、ここでは、表示装置１の構成のうち、表示に関連する部分のみについて記載し、それ以外の部分については説明を省略する。
【００２２】
表示パネル１０には、複数のゲート線５０、５０、・・・、５０（以下、ゲート線を区別する必要がない場合には、ゲート線５０と適宜称する）と複数のデータ線６０、６０、・・・、６０（以下、データ線を区別する必要がない場合には、データ線６０と適宜称する）が互いに直交するようにして、マトリクス状に配置されている。表示パネル１０としては、例えばガラス基板が用いられる。ゲート線５０とデータ線６０との交点には、スイッチ素子１１を介して画素１２が配置され、スイッチ素子１１がＯＮ／ＯＦＦすることにより、画素１２の点灯を制御する。スイッチ素子１１としては、例えば薄膜トランジスタ（ＴＦＴ；Thin Film Transistor）を用いることができる。
【００２３】
ゲート線駆動回路２０は、ゲート線５０が接続され、後述するゲートＯＮ電圧発生部４０から供給されるＶＧＧ電圧に基づき垂直方向の走査を行い、スイッチ素子１１をＯＮ／ＯＦＦさせるための制御信号をゲート線５０に供給する。なお、ゲート線駆動回路２０の詳細については後述する。データ線駆動回路３０は、データ線６０が接続され、映像信号をデータ線６０に供給して水平方向の走査を行う。
【００２４】
ゲートＯＮ電圧発生部４０は、図示されないタイミングコントローラから供給されるゲート駆動タイミング信号に同期して、ゲート線駆動回路２０を制御するためのＶＧＧ電圧を生成する。ゲートＯＮ電圧発生部４０は、例えば図２に示すように、コンデンサＣおよび抵抗ＲからなるＣＲ時定数回路で構成されている。このＣＲ時定数回路に対してパルス状のゲート駆動タイミング信号が入力されると、コンデンサＣおよび抵抗Ｒによって決定される時定数τ（＝ＣＲ）に基づき、立ち下がりが鈍ったＶＧＧ電圧が生成される。
【００２５】
ゲートＯＮ電圧発生部４０では、ＣＲ時定数回路のコンデンサＣおよび抵抗Ｒの値を調整することにより時定数τが変化し、ＶＧＧ電圧の立ち下がりの勾配を調整することができる。例えば、時定数τの値を大きくした場合には、立ち下がりの勾配が緩やかになり、時定数τの値を小さくした場合には、立ち下がりの勾配が急峻となる。このようにして生成されたＶＧＧ電圧は、ゲート線駆動回路２０に供給される。
【００２６】
次に、ゲート線駆動回路２０の一例の構成について説明する。ゲート線駆動回路２０は、図３に示すように、複数のゲートドライバ２１ａ、２１ｂ、２１ｃ、２１ｄおよび２１ｅ（以下、ゲートドライバを区別する必要がない場合には、ゲートドライバ２１と適宜称する）で構成されている。なお、ここでは、５つのゲートドライバ２１によってゲート線駆動回路２０が構成されている場合について説明するが、これはこの例に限られず、例えば、ゲート線５０の本数や表示パネルの大きさに応じて、ゲートドライバ２１の数を増減させてもよい。
【００２７】
ゲートドライバ２１は、ゲートＯＮ電圧発生部４０から供給されたＶＧＧ電圧に基づき、スイッチ素子１１をＯＮ／ＯＦＦさせて所望の画素１２を点灯させるための制御信号をゲート線５０に供給する。また、１つのゲートドライバ２１では、複数のゲート線５０を駆動させることができる。具体的には、例えば、１つのゲートドライバ２１で２００本程度のゲート線５０を駆動するようにしている。
【００２８】
また、ゲートドライバ２１ａ〜２１ｅは、例えば、ＴＣＰ（Tape Carrier Package）やＣＯＦ（Chip On Film）と呼ばれる実装方式を用いてフレキシブル配線基板２２ａ〜２２ｅ（以下、フレキシブル配線基板を区別する必要がない場合には、フレキシブル配線基板２２と適宜称する）に実装されて、表示パネル１０に接続される。
【００２９】
ゲートドライバ２１を実装したフレキシブル配線基板２２は、絶縁性接着剤の中に導電粒子を混入させたフィルムであるＡＣＦ（Anisotropic Conductive Film；異方性導電フィルム）２６を介して表示パネル１０に接続される。
【００３０】
フレキシブル配線基板２２と表示パネル１０とを接続する場合は、図４に示すように、このＡＣＦ２６をフレキシブル配線基板２２と表示パネル１０との間に挟み込む。そして、フレキシブル配線基板２２および表示パネル１０を所定時間の間、所定温度で加熱して圧着することにより、上下に対向するフレキシブル配線基板２２の電極と表示パネル１０の電極とが導電粒子を介して電気的に接続されるとともに、左右に隣接する電極同士が絶縁される。
【００３１】
次に、ゲート線駆動回路２０、ゲートＯＮ電圧発生部４０および表示パネル１０の接続方法について説明する。背景技術の項目で説明したように、ゲートＯＮ電圧発生部４０からゲートドライバ２１に対してＶＧＧ電圧を供給する際に、１つのＶＧＧ電圧を全てのゲートドライバ２１に供給すると、ゲートＯＮ電圧発生部４０からそれぞれのゲートドライバ２１までの配線による配線抵抗や配線容量等の影響により、ゲートＯＮ電圧発生部４０からの配線距離が長くなるにしたがってＶＧＧ電圧が鈍ってしまい、輝度ムラが発生してしまう。
【００３２】
そこで、この発明の実施の一形態では、それぞれのゲートドライバ２１の入力端において、ＶＧＧ電圧の波形が略同一となるように、ゲートＯＮ電圧発生部４０において複数のＶＧＧ電圧を生成し、所定の数のゲートドライバ２１毎に、それぞれ異なるＶＧＧ電圧を供給するようにした。
【００３３】
例えば、隣接する２つのゲートドライバに対して１つのＶＧＧ電圧を供給する場合について考える。この例では、５つのゲートドライバ２１ａ〜２１ｅが設けられているので、ゲートＯＮ電圧発生部４０は、ゲートドライバ２１ａおよび２１ｂに供給する第１のＶＧＧ電圧、ゲートドライバ２１ｃおよび２１ｄに供給する第２のＶＧＧ電圧、およびゲートドライバ２１ｅに供給する第３のＶＧＧ電圧の３つのＶＧＧ電圧を生成する。
【００３４】
ゲートＯＮ電圧発生部４０から各ゲートドライバ２１に供給されるＶＧＧ電圧は、図５に示すように、各ゲートドライバ２１が実装されているフレキシブル配線基板２２および表示パネル１０のパネル内配線を通って供給される。
【００３５】
ゲートＯＮ電圧発生部４０には、ゲートドライバ２１ａおよび２１ｂに対して第１のＶＧＧ電圧を供給するための配線２３ａと、ゲートドライバ２１ｃおよび２１ｄに対して第２のＶＧＧ電圧を供給するための配線２４ａと、ゲートドライバ２１ｅに対して第３のＶＧＧ電圧を供給するための配線２５とが接続されている。そして、これらの配線２３ａ、２４ａおよび２５が、表示パネル１０およびフレキシブル配線基板２２を介して、各ゲートドライバ２１に接続されている。
【００３６】
配線２３ａは、表示パネル１０およびフレキシブル配線基板２２ａを通ってゲートドライバ２１ａに接続されている。ゲートＯＮ電圧発生部４０から出力された第１のＶＧＧ電圧は、配線２３ａを通ってゲートドライバ２１ａに供給される。
【００３７】
また、配線２３ｂは、ゲートドライバ２１ａに接続されるとともに、フレキシブル配線基板２２ａ、表示パネル１０およびフレキシブル配線基板２２ｂを通ってゲートドライバ２１ｂに接続されている。ゲートドライバ２１ａに入力された第１のＶＧＧ電圧は、ゲートドライバ２１ａからそのまま出力され、配線２３ｂを通ってゲートドライバ２１ｂに供給される。
【００３８】
配線２４ａは、表示パネル１０、フレキシブル配線基板２２ａ、表示パネル１０、フレキシブル配線基板２２ｂ、表示パネル１０およびフレキシブル配線基板２２ｃを通ってゲートドライバ２１ｃに接続されている。ゲートＯＮ電圧発生部４０から出力された第２のＶＧＧ電圧は、配線２４ａを通ってゲートドライバ２１ｃに供給される。
【００３９】
また、配線２４ｂは、ゲートドライバ２１ｃに接続されるとともに、フレキシブル配線基板２２ｃ、表示パネル１０およびフレキシブル配線基板２２ｄを通ってゲートドライバ２１ｄに接続されている。ゲートドライバ２１ｃに入力された第２のＶＧＧ電圧は、ゲートドライバ２１ｃからそのまま出力され、配線２４ｂを通ってゲートドライバ２１ｄに供給される。
【００４０】
配線２５は、表示パネル１０、フレキシブル配線基板２２ａ、表示パネル１０、フレキシブル配線基板２２ｂ、表示パネル１０、フレキシブル配線基板２２ｃ、表示パネル１０、フレキシブル配線基板２２ｄ、表示パネル１０およびフレキシブル配線基板２２ｅを通ってゲートドライバ２１ｅに接続されている。ゲートＯＮ電圧発生部４０から出力された第３のＶＧＧ電圧は、配線２５を通ってゲートドライバ２１ｅに供給される。
【００４１】
このように、ゲートＯＮ電圧発生部４０からそれぞれのゲートドライバ２１までの距離が遠くなるにしたがって、配線距離が長くなる。そのため、ゲートＯＮ電圧発生部４０から出力される第１のＶＧＧ電圧、第２のＶＧＧ電圧および第３のＶＧＧ電圧は、それぞれのゲートドライバ２１に入力される際に、配線経路の配線抵抗や配線容量により鈍ってしまう。
【００４２】
したがって、この発明の実施の一形態では、図６に示すように、ゲートＯＮ電圧発生部４０から出力される第１のＶＧＧ電圧２７ａ、第２のＶＧＧ電圧２７ｂおよび第３のＶＧＧ電圧２７ｃの波形を、配線経路の配線抵抗や配線容量等による鈍りを考慮して、立ち下がりの勾配が異なるように設定する。
【００４３】
ゲートドライバ２１ａおよび２１ｂに供給される第１のＶＧＧ電圧２７ａは、図６Ａに示すように、立ち下がりの勾配が最も緩やかになるように設定される。これは、ゲートＯＮ電圧発生部４０からゲートドライバ２１ａまでの配線距離が最も短く、配線抵抗や配線容量等の影響が最も小さいためである。
【００４４】
ゲートドライバ２１ｃおよび２１ｄに供給される第２のＶＧＧ電圧２７ｂは、図６Ｂに示すように、第１のＶＧＧ電圧２７ａに比べて、立ち下がりの勾配がより急峻となるように設定される。これは、ゲートＯＮ電圧発生部４０からゲートドライバ２１ｃまでの配線距離が、ゲートドライバ２１ａまでの配線距離に比べて長く、より配線抵抗や配線容量の影響が大きいためである。
【００４５】
ゲートドライバ２１ｅに供給される第３のＶＧＧ電圧２７ｃは、図６Ｃに示すように、第１のＶＧＧ電圧２７ａおよび第２のＶＧＧ電圧２７ｂに比べて、立ち下がりの勾配が最も急峻となるように設定される。これは、ゲートＯＮ電圧発生部４０からゲートドライバ２１ｅまでの配線距離が、ゲートドライバ２１ａまでの配線距離に比べて最も長く、配線抵抗や配線容量等の影響が最も大きいためである。
【００４６】
このように、この発明の実施の一形態では、ゲートＯＮ電圧発生回路４０から各ゲートドライバまでの配線距離に応じて、ゲートＯＮ電圧発生部４０から出力されるＶＧＧ電圧の波形を異ならせることにより、各ゲートドライバの入力端におけるＶＧＧ電圧の波形が略同一となるようにする。したがって、全てのゲートドライバ２１からゲート線５０に出力される制御信号の波形が略同一となり、波形の差異による輝度ムラを低減させることができる。
【００４７】
以上、この発明の実施の一形態について説明したが、この発明は、上述したこの発明の実施の一形態に限定されるものではなく、この発明の要旨を逸脱しない範囲内で様々な変形や応用が可能である。例えば、上述の例では、第１、第２および第３のＶＧＧ電圧２７ａ、２７ｂおよび２７ｃの立ち下がりの勾配を異ならせるように説明したが、これはこの例に限られず、例えば、配線距離により各ゲートドライバの入力端におけるＶＧＧ電圧の電圧レベルが異なる場合には、立ち下がりの勾配に加えて、電圧レベルの変動量も考慮して第１、第２および第３のＶＧＧ電圧を生成するようにしてもよい。
【００４８】
また、例えば、ゲートＯＮ電圧発生部４０で生成されるＶＧＧ電圧は、ゲート駆動回路２０に設けられたゲートドライバ２１の数に応じて増減させてもよい。
【００４９】
さらに、この例では、２つのゲートドライバ２１に対して１つのＶＧＧ電圧を供給するように説明したが、この例に限られず、例えば、各ゲートドライバ２１に供給されるＶＧＧ電圧の波形の精度をより高くする場合には、１つのゲートドライバ２１に対して、それぞれ異なるＶＧＧ電圧を供給するようにしてもよい。また、例えば、３つ以上のゲートドライバ２１に対して、１つのＶＧＧ電圧を供給するようにしてもよい。
【００５０】
また、この例では、フレキシブル配線基板上にゲートドライバを実装する技術としてＴＣＰやＣＯＦを用いた場合について説明したが、これはこの例に限られない。例えば、ゲートドライバ２１などのＩＣ（Integrated Circuit）をガラス基板上に実装する技術であるＣＯＧ（Chip On Glass）や、ゲート線駆動回路２０などの回路全体をガラス基板上に実装する技術であるＳＯＧ（System On Glass）を用いた場合についても適用可能である。
【図面の簡単な説明】
【００５１】
【図１】この発明の実施の一形態による表示装置の一例の構成を示す略線図である。
【図２】ゲートＯＮ電圧発生部の一例の構成を示す略線図である。
【図３】ゲート駆動回路の一例の構成を示す略線図である。
【図４】ＡＣＦを用いてフレキシブル配線基板と表示パネルとを接続する方法について説明するための断面図である。
【図５】ゲートＯＮ電圧発生部からそれぞれのゲートドライバまでの配線について説明するための略線図である。
【図６】ゲートＯＮ電圧発生部で生成されるＶＧＧ電圧の波形について説明するための略線図である。
【図７】従来の表示装置の一例の構成を示す略線図である。
【図８】従来の表示装置における、ゲートＯＮ電圧発生部からそれぞれのゲートドライバまでの配線について説明するための略線図である。
【符号の説明】
【００５２】
１  表示装置
１０  表示パネル
１１  トランジスタ
１２  画素
２０  ゲート線駆動回路
２１  ゲートドライバ
２２  フレキシブル配線基板
２３ａ、２３ｂ、２４ａ、２４ｂ、２５  配線
３０  データ線駆動回路
４０  ゲートＯＮ電圧発生部
５０  ゲート線
６０  データ線
【図１】
2008191535.tif 000003
【図２】
2008191535.tif 000004
【図３】
2008191535.tif 000005
【図４】
2008191535.tif 000006
【図５】
2008191535.tif 000007
【図６】
2008191535.tif 000008
【図７】
2008191535.tif 000009
【図８】
2008191535.tif 000010